(57)【要約】【課題】静音化した読取を行う機能において、原稿の読取を終えるまでにかかる時間を抑制することができる画像読取装置を提供する。【解決手段】載置部と、読取部と、駆動部と、制御部と、を備え、前記制御部は、決定処理にて前記第２の読取モードで原稿の画像を読み取ると決定した場合には、前記第１の原稿を前記順読取処理で読み取った後、前記第２の原稿を、前記逆読取処理で読み取るとともに、前記抑制処理を行って前記駆動部の駆動の速度を前記第１の読取モードで原稿の画像を読み取ると決定した場合よりも遅くする、読取処理と、を実行する、画像読取装置。【選択図】図８
2015070351.tif 000002
【特許請求の範囲】
【請求項１】
ユーザによって原稿が載置される載置部と、
前記載置部に載置される原稿に沿って順方向または前記順方向とは逆方向に移動するように構成され、原稿の画像を読み取る読取部と、
前記読取部に駆動力を伝達する駆動部と、
制御部と、を備え、
前記制御部は、
前記駆動部を駆動して、前記読取部を前記順方向に移動させながら原稿の画像を読み取る順読取処理と、
前記駆動部を駆動して、前記読取部を前記逆方向に移動させながら原稿の画像を読み取る逆読取処理と、
前記駆動部を駆動して、前記読取部を、原稿の画像を読み取らずに前記逆方向に移動させる逆移動処理と、
第１の読取モードまたは第２の読取モードのいずれの読取モードで原稿の画像を読み取るかを決定する決定処理と、
前記読取部を移動させる際の前記駆動部の駆動の速度を遅くすることで、前記駆動部の駆動によって発生する駆動音を抑制する抑制処理と、
前記決定処理にて前記第１の読取モードで原稿の画像を読み取ると決定した場合には、第１の原稿を前記順読取処理で読み取った後、前記第１の原稿の次に読み取る原稿である第２の原稿を、前記読取部を前記逆移動処理によって前記逆方向に移動させた後に、前記順読取処理で読み取る一方で、
前記決定処理にて前記第２の読取モードで原稿の画像を読み取ると決定した場合には、前記第１の原稿を前記順読取処理で読み取った後、前記第２の原稿を、前記逆読取処理で読み取るとともに、前記順読取処理もしくは前記逆読取処理の少なくともいずれか一方の処理を行っている際に、前記抑制処理を行って前記駆動部の駆動の速度を前記第１の読取モードで原稿の画像を読み取ると決定した場合よりも遅くする、読取処理と、を実行する、画像読取装置。
【請求項２】
前記制御部は、前記読取処理において、前記決定処理にて前記第２の読取モードで原稿の画像を読み取ると決定した場合には、前記順読取処理及び前記逆読取処理の両方の処理を行っている際に、前記抑制処理を行って前記駆動部の駆動の速度を前記第１の読取モードで原稿の画像を読み取ると決定した場合よりも遅くする請求項１に記載の画像読取装置。
【請求項３】
前記読取部で読み取る原稿の読取枚数についての指示を受け付ける枚数受付部を備え、
前記制御部は、前記読取処理において、前記決定処理にて前記第２の読取モードで原稿の画像を読み取ると決定した場合、前記枚数受付部で受け付けた前記読取枚数が１枚である際には、原稿を前記順読取処理で読み取った後、前記逆移動処理によって前記読取部を前記逆方向に移動させて前記順読取処理を開始する際の開始位置もしくは前記読取部の待機位置へ移動させるとともに、前記順読取処理もしくは前記逆移動処理の少なくともいずれか一方を行っている際に、前記抑制処理を行って前記駆動部の駆動の速度を前記第１の読取モードで原稿の画像を読み取ると決定した場合よりも遅くする一方で、
前記枚数受付部で受け付けた前記読取枚数が２枚以上である際には、前記第１の原稿を前記順読取処理で読み取った後、前記第２の原稿を前記逆読取処理で読み取る、請求項１または２に記載の画像読取装置。
【請求項４】
前記枚数受付部で受け付けた前記読取枚数が２枚以上である際に、前記順方向についてすべての原稿が同サイズの原稿か否かの指示を受け付けるサイズ受付部を備え、
前記制御部は、前記読取処理において、前記決定処理にて前記第２の読取モードで原稿の画像を読み取ると決定した場合であり、前記枚数受付部で受け付けた前記読取枚数が２枚以上であっても、前記サイズ受付部で、サイズの異なる原稿が存在する指示を受け付けた場合には、前記第１の原稿を前記順読取処理で読み取った後、前記第２の原稿を、前記読取部を前記逆移動処理によって前記逆方向に移動させた後に、前記順読取処理で読み取るとともに、前記順読取処理もしくは前記逆移動処理の少なくともいずれか一方を行っている際に、前記抑制処理を行って前記駆動部の駆動の速度を前記第１の読取モードで原稿の画像を読み取ると決定した場合よりも遅くする、請求項３に記載の画像読取装置。
【請求項５】
前記制御部は、前記読取処理において、前記決定処理にて前記第２の読取モードで原稿の画像を読み取ると決定した場合には、前記順読取処理を行った後、次に読み取る原稿が無い場合には、前記逆移動処理を行い前記読取部を前記順読取処理を開始する際の開始位置もしくは前記読取部の待機位置へ移動させる、請求項１から４のいずれかに記載の画像読取装置。
【請求項６】
前記制御部は、前記読取処理において、前記決定処理にて前記第２の読取モードで原稿の画像を読み取ると決定した場合の前記逆移動処理の際に、前記抑制処理を行う、請求項３から５のいずれかに記載の画像読取装置。
【発明の詳細な説明】
【技術分野】
【０００１】
本発明は、静音化した読取が可能な画像読取装置に関する。
【背景技術】
【０００２】
従来画像読取装置について、例えば特許文献１に開示されているように、読取部が基準位置から走査することによって原稿が読み取られた後、読取部が基準位置へ戻る際の速度を第１の速度とする通常の読取の他に、読取部が基準位置へ戻る際の速度を第１の速度よりも遅い第２の速度とすることにより、通常の読取よりも、モータの駆動等によって発生する機械音の発生を抑制し静音化した読取を行う機能を備えたものがある。
【先行技術文献】
【特許文献】
【０００３】
【特許文献１】特開2007−81937号公報
【発明の概要】
【発明が解決しようとする課題】
【０００４】
しかしながら、上記従来例のような読取部の速度を低下させる構成によって静音化した読取を実現する場合には、原稿の読取を終えるまでにかかる時間が、通常の読取よりも増大する可能性があった。
【０００５】
本発明は上述した問題点を解決するためになされたものであり、静音化した読取を行う機能において、原稿の読取を終えるまでにかかる時間を抑制することができる画像読取装置を提供するものである。
【課題を解決するための手段】
【０００６】
この目的を達成するためになされた本発明の画像読取装置は、ユーザによって原稿が載置される載置部と、前記載置部に載置される原稿に沿って順方向または前記順方向とは逆方向に移動するように構成され、原稿の画像を読み取る読取部と、前記読取部に駆動力を伝達する駆動部と、制御部と、を備え、前記制御部は、前記駆動部を駆動して、前記読取部を前記順方向に移動させながら原稿の画像を読み取る順読取処理と、前記駆動部を駆動して、前記読取部を前記逆方向に移動させながら原稿の画像を読み取る逆読取処理と、前記駆動部を駆動して、前記読取部を、原稿の画像を読み取らずに前記逆方向に移動させる逆移動処理と、第１の読取モードまたは第２の読取モードのいずれの読取モードで原稿の画像を読み取るかを決定する決定処理と、前記読取部を移動させる際の前記駆動部の駆動の速度を遅くすることで、前記駆動部の駆動によって発生する駆動音を抑制する抑制処理と、前記決定処理にて前記第１の読取モードで原稿の画像を読み取ると決定した場合には、第１の原稿を前記順読取処理で読み取った後、前記第１の原稿の次に読み取る原稿である第２の原稿を、前記読取部を前記逆移動処理によって前記逆方向に移動させた後に、前記順読取処理で読み取る一方で、前記決定処理にて前記第２の読取モードで原稿の画像を読み取ると決定した場合には、前記第１の原稿を前記順読取処理で読み取った後、前記第２の原稿を、前記逆読取処理で読み取るとともに、前記順読取処理もしくは前記逆読取処理の少なくともいずれか一方の処理を行っている際に、前記抑制処理を行って前記駆動部の駆動の速度を前記第１の読取モードで原稿の画像を読み取ると決定した場合よりも遅くする、読取処理と、を実行することを特徴とする。
【０００７】
このようにすれば、静音化した読取を行う機能である第２のモードにおいて、原稿の読取を終えるまでにかかる時間を抑制することができる。
【０００８】
また、前記制御部は、前記読取処理において、前記決定処理にて前記第２の読取モードで原稿の画像を読み取ると決定した場合には、前記順読取処理及び前記逆読取処理の両方の処理を行っている際に、前記抑制処理を行って前記駆動部の駆動の速度を前記第１の読取モードで原稿の画像を読み取ると決定した場合よりも遅くするものであってもよい。
【０００９】
このようにすれば、読取部を順方向に移動もしくは逆方向に移動するいずれか一方の場合に読取部の移動速度を低下させる場合に比べ、原稿の読取を終えるまでにかかる時間が増大し易い静音化した読取を行う機能である第２の読取モードにおいて、原稿の読取を終えるまでにかかる時間を抑制することができる。
【００１０】
また、前記読取部で読み取る原稿の読取枚数についての指示を受け付ける枚数受付部を備え、前記制御部は、前記読取処理において、前記決定処理にて前記第２の読取モードで原稿の画像を読み取ると決定した場合、前記枚数受付部で受け付けた前記読取枚数が１枚である際には、原稿を前記順読取処理で読み取った後、前記逆移動処理によって前記読取部を前記逆方向に移動させて前記順読取処理を開始する際の開始位置もしくは前記読取部の待機位置へ移動させるとともに、前記順読取処理もしくは前記逆移動処理の少なくともいずれか一方を行っている際に、前記抑制処理を行って前記駆動部の駆動の速度を前記第１の読取モードで原稿の画像を読み取ると決定した場合よりも遅くする一方で、前記枚数受付部で受け付けた前記読取枚数が２枚以上である際には、前記第１の原稿を前記順読取処理で読み取った後、前記第２の原稿を前記逆読取処理で読み取るものであってもよい。
【００１１】
このようにすれば、読取部の移動速度を低下させることで静音化した読取を行う機能である第２の読取モードにおいて、２枚以上の原稿を連続して読み取る際に、原稿の読取を終えるまでにかかる時間を抑制することができる。
【００１２】
また、前記枚数受付部で受け付けた前記読取枚数が２枚以上である際に、前記順方向についてすべての原稿が同サイズの原稿か否かの指示を受け付けるサイズ受付部を備え、前記制御部は、前記読取処理において、前記決定処理にて前記第２の読取モードで原稿の画像を読み取ると決定した場合であり、前記枚数受付部で受け付けた前記読取枚数が２枚以上であっても、前記サイズ受付部で、サイズの異なる原稿が存在する指示を受け付けた場合には、前記第１の原稿を前記順読取処理で読み取った後、前記第２の原稿を、前記読取部を前記逆移動処理によって前記逆方向に移動させた後に、前記順読取処理で読み取るとともに、前記順読取処理もしくは前記逆移動処理の少なくともいずれか一方を行っている際に、前記抑制処理を行って前記駆動部の駆動の速度を前記第１の読取モードで原稿の画像を読み取ると決定した場合よりも遅くするものであってもよい。
【００１３】
このようにすれば、静音化した読取を行う機能である第２の読取モードにおいて、第順方向についてのサイズを考慮しつつ、すべての原稿の読取を終えるまでにかかる時間を抑制することができる。
【００１４】
また、前記制御部は、前記読取処理において、前記決定処理にて前記第２の読取モードで原稿の画像を読み取ると決定した場合には、前記順読取処理を行った後、次に読み取る原稿が無い場合には、前記逆移動処理を行い前記読取部を前記順読取処理を開始する際の開始位置もしくは前記読取部の待機位置へ移動させるものであってもよい。
【００１５】
このようにすれば、静音化した読取を行う機能である第２の読取モードにおいて、読取後に次に読み取る原稿が存在しない場合について考慮しつつ、すべての原稿の読取を終えるまでにかかる時間を抑制することができる。
【００１６】
また、前記制御部は、前記読取処理において、前記決定処理にて前記第２の読取モードで原稿の画像を読み取ると決定した場合の前記逆移動処理の際に、前記抑制処理を行うものであってもよい。
【００１７】
このようにすれば、読取部を逆方向に移動する際に読取部の移動速度を低下させない場合に比べ、原稿の読取を終えるまでにかかる時間が増大し易い、静音化した読取を行う機能である第２の読取モードにおいて、原稿の読取を終えるまでにかかる時間を抑制することができる。
【発明の効果】
【００１８】
本発明によれば、静音化した読取を行う機能において、原稿の読取を終えるまでにかかる時間を抑制することができる読取装置を提供するものである。
【図面の簡単な説明】
【００１９】
【図１】本発明の実施例に係る複合機１の原稿カバー６が閉じられた状態での外観構成を示す斜視図である。
【図２】本発明の実施例に係る複合機１の原稿カバー６が開けられた状態での外観構成を示す斜視図である。
【図３】原稿読取台７の内部構造を示す平面図である。
【図４】複合機１の前後方向を切断面とするスキャナ部３の断面図である。
【図５】原稿読取台７の平面図であって、ベルト駆動機構７１の概略構成を示す図である。
【図６】原稿読取台７の平面図であって、ＣＩＳユニット６９の位置を表す概略図である。
【図７】複合機１の電気的構成を示すブロック図である。
【図８】第１実施例における複合機１の画像読取機能におけるＣＰＵ１０１の実行する処理を表すフローチャートである。
【図９】複合機１の画像読取機能におけるＣＰＵ１０１の実行する処理のうち読取処理を表すフローチャートである。
【図１０】第２実施例における複合機１の画像読取機能におけるＣＰＵ１０１の実行する処理を表すフローチャートである。
【発明を実施するための形態】
【００２０】
以下では、本発明の実施形態について、添付図面を参照しながら詳細に説明する。
【００２１】
（第１実施例）
（１）複合機の概略構成
はじめに、本実施例に係る複合機１（画像読取装置の一例）の概略構成について説明する。
【００２２】
図１は、本発明の実施例に係る複合機１の原稿カバー６が閉じられた状態での外観構成を示す斜視図である。
【００２３】
図２は、本発明の実施例に係る複合機１の原稿カバー６が開けられた状態での外観構成を示す斜視図である。
【００２４】
図１及び図２に示すように、本複合機１は、装置下部に配設されたプリンタ部２と、その上部に配設されたスキャナ部３と、原稿カバー６と、装置上面の前方側に配置された操作パネル５（枚数受付部の一例）と、を主に有する。
【００２５】
プリンタ部２は、スキャナ部３により読み取られた画像や、複合機１と接続された外部のコンピュータ（図示しない）等から送信された画像データや文書データ等を含む印刷データに基づいて、画像や文書等を記録紙に記録する。
【００２６】
スキャナ部３は、複合機１の筐体の一部を構成する本体フレーム６０の上面に設けられたコンタクトガラス５１を有する原稿読取台７を有している。ユーザは、原稿読取台７に対して背面側の蝶番を介して開閉可能に取り付けられた原稿カバー６が開けられた状態において、コンタクトガラス５１（載置部の一例）上にスキャナ部３によって画像を読み取るための原稿を、前後及び左右方向に平行に載置することができる。コンタクトガラス５１は、例えば無色透明なガラス板からなる。コンタクトガラス５１の左方には、位置決め部材５５が設けられている。位置決め部材５５は、複合機１の後方向に延設された長尺の平板状の非透明部材である。位置決め部材５５は、原稿載置面であるコンタクトガラス５１上にユーザによって原稿が載置される際に、原稿の位置決め基準として用いられる。そのため、位置決め部材５５の上面には、中央位置やＡ４サイズ、Ｂ５サイズ等の各種原稿サイズの両端位置を示す表示が記されている。コンタクトガラス５１上に原稿が載置され、そして、原稿カバー６が閉じられると、原稿は、原稿カバー６によって固定される。そしてスキャナ部３は、原稿カバー６が閉じられた状態において、後に詳述のように、コンタクトガラス５１の下方に位置する画像読取ユニット５２（図３及び図４参照）によって、原稿読取台７のコンタクトガラス５１上に載置された原稿の画像を読み取る。これによって画像読取機能における読取が実行される。
【００２７】
操作パネル５は、複合機１の上面の前方側に設けられ、プリンタ部２やスキャナ部３を操作するための各種操作ボタンや液晶表示部１１から構成されている。各種操作ボタンは、例えば、プリンタ部２やスキャナ部３の動作を開始するためのスタートボタン５Ａや、動作の停止や設定の終了を行うためのストップボタンの他、読み取りを行う原稿の枚数を指定する数字ボタン５Ｂ、後に詳述のコンタクトガラス５１に載置された原稿の画像を読み取る画像読取機能における動作モードや読み取る原稿のサイズを選択する矢印ボタン５Ｃ等の各種設定ボタン等の複数の入力キーから構成される。なお、後に詳述のコンタクトガラス５１に載置された原稿の画像を読み取る画像読取機能における動作モードを選択する際には、矢印ボタン５Ｃによって選択する以外の方法であっても良い。例えば画像読取機能における動作モードに対応したボタンがあらかじめ設けられている構成や、画像読取機能における動作モードに対応した数字があらかじめ定められており、数字ボタン５Ｂによってその数字を選択するような構成であってもよい。
【００２８】
（２）画像読取ユニットに関連する構成
以下では、画像読取ユニット５２に関連する構成について詳細に述べる。
【００２９】
図３は、原稿読取台７の内部構造を示す平面図である。
【００３０】
図４は、複合機１の前後方向を切断面とするスキャナ部３の断面図である。
【００３１】
図５は、原稿読取台７の平面図であって、ベルト駆動機構７１の概略構成を示す図である。
【００３２】
図６は、原稿読取台７の平面図であって、ＣＩＳユニット６９の位置を表す概略図である。
【００３３】
なお、図３及び図６では説明の便宜上、コンタクトガラス５１などを省略している。また、図４では原稿カバー６及びプリンタ部２の断面を省略している。また、図５では図３のＣＩＳユニット６９をさらに省略している。
【００３４】
図３及び図４に示すように、本体フレーム６０は、上面が開放された容器状の下フレーム６１と、上面に開口６３を有する上カバー６４とを備えており、下フレーム６１の上に上カバー６４が嵌め合わされることにより、本体フレーム６０が構成されている。コンタクトガラス５１は、開口６３に露出するように、上カバー６４に取り付けられている。
【００３５】
図３に示すように、下フレーム６１内に画像読取ユニット５２が配設されている。下フレーム６１及び上カバー６４は、共に合成樹脂からなる。下フレーム６１は、底板を構成するベース部６５と、このベース部６５の周囲から起立した側壁６６と、区画板６７とを有し、これらは一体的に形成されている。この区画板６７は、画像読取ユニット５２が配設される部分と、操作パネル５の基板等が配設される部分とを区画する。
【００３６】
画像読取ユニット５２は、図３に示すように、ＣＩＳユニット６９と、ガイドシャフト７０を有するベルト駆動機構７１とを備えている。また、画像読取ユニット５２は、ローラーユニット７２を備えている。図４に示すように、このローラーユニット７２は、コンタクトガラス５１の裏面５６に当接し、ＣＩＳユニット６９の円滑な副走査方向（左右方向）へのスライド移動を支援する。ＣＩＳユニット６９は、所謂、密着型のイメージセンサである。ＣＩＳユニット６９は、細長直方体状の筐体８０を備えており、この筐体８０が上記ガイドシャフト７０と嵌合している。そして、この筐体８０がＣＩＳユニット６９と共にコンタクトガラス５１（図２及び図４参照）の下方を副走査方向へ往復移動する。なお、画像読取ユニット５２としては、上記ＣＩＳユニット６９に限らず、例えば、縮小光学系のＣＣＤイメージセンサや、ＣＭＯＳ（ComplementaryMetal-OxideSemiconductor）イメージセンサなどを含んで構成されたものも適用可能である。
【００３７】
ガイドシャフト７０は、更に詳細には、下フレーム６１の左右方向（前述した副走査方向）に渡って架設されている。筐体８０の下部には軸受部８１が形成されており、軸受部８１にガイドシャフト７０が副走査方向へ摺動自在に支持される。筐体８０は、ベルト駆動機構７１により駆動されてガイドシャフト７０上を摺動して移動する。また、ガイドシャフト７０は、図示しないコイルバネを備えており、これによって上方へ弾性的に付勢されている。したがって、筐体８０は、コンタクトガラス５１の裏面５６に密着するように付勢され、コンタクトガラス５１に押しつけられた状態で、コンタクトガラス５１に沿って副走査方向へ移動されるようになっている。
【００３８】
図４に示すように、ローラーユニット７２は、ＣＩＳユニット６９の両端部に設けられている。このローラーユニット７２は、副走査方向に転動するローラを備えており、このローラがコンタクトガラス５１の裏面５６に当接している。したがって、ＣＩＳユニット６９が副走査方向へ移動したときは、その移動に伴って、ローラがコンタクトガラス５１に沿って転動する。このローラーユニット７２が設けられているので、ＣＩＳユニット６９がコンタクトガラス５１の裏面５６に押し付けられていても、ＣＩＳユニット６９は、コンタクトガラス５１に沿って円滑に移動する。
【００３９】
図５に示すように、ベルト駆動機構７１は、ガイドシャフト７０と、駆動プーリ７４と、従動プーリ７５と、これらの間に巻き架けられたタイミングベルト７６と、駆動プーリ７４の回転軸に連結されたキャリッジモータ７８（図７参照）とを備えている。タイミングベルト７６は、内側に歯が形成された無端ベルトである。キャリッジモータ７８（図７参照）が駆動プーリ７４を回転させることにより、タイミングベルト７６が周運動するように構成されている。
【００４０】
同図が示すように、駆動プーリ７４は、下フレーム６１の左後方に配設されている。この駆動プーリ７４に巻き架けられたタイミングベルト７６は、下フレーム６１の前側へ延出し、ガイドシャフト７０の手前に配設された中間プーリ７７に巻き架けられている。さらに、このタイミングベルト７６は、略直角に曲折し、ガイドシャフト７０に沿って下フレーム６１の右端まで延出し、下フレーム６１の右端付近に配設された従動プーリ７５に巻き架けられている。即ち、タイミングベルト７６は、同図が示すように、平面視で略Ｌ字状に架設されている。このように巻き架けられたタイミングベルト７６の従動プーリ７５から中間プーリ７７の間の部分、即ち、ガイドシャフト７０に沿った部分は、上記筐体８０の下部に形成された連結部８２（図４参照）によって掴まれており、これにより、タイミングベルト７６と筐体８０とが連結されている。なお、タイミングベルト７６としては、無端ベルト以外に、長尺な有端ベルトを採用してもよい。ただし、この場合は、駆動プーリ７４及び従動プーリ７５に代えて、有端ベルトの両端部を巻き取る巻回ローラを下フレーム６１などに固設することを要する。
【００４１】
以上の構成より、画像読取ユニット５２によって、コンタクトガラス５１上に載置された原稿の画像データが読み取られる際には、ＣＩＳユニット６９が、読取の開始位置である図６に示す初期読取開始位置３０（開始位置の一例）から、ベルト駆動機構７１によって、ガイドシャフト７０に沿って右方向（順方向の一例、以下「順方向」と称する。）へ向けてスライド移動し、この移動中に、ＣＩＳユニット６９が点灯し、原稿を露光して走査する。なお、初期読取開始位置３０は、原稿を位置決め部材５５に沿ってコンタクトガラス５１上に載置した際に原稿の左端が読み取りされるような位置である。なお、ＣＩＳユニット６９による読み取りが可能な範囲である読取可能エリア３１は、コンタクトガラス５１が設けられた範囲に対応している。ＣＩＳユニット６９による原稿全体の走査が終了すると、ＣＩＳユニット６９は消灯し、ベルト駆動機構７１が逆転駆動されて、ＣＩＳユニット６９はガイドシャフト７０に沿って左方向（逆方向の一例、以下「逆方向」と称する。）へ向けてスライド移動して、元の初期読取開始位置３０若しくはあらかじめ定められたホームポジション３２（待機位置の一例）に戻される。なお、このベルト駆動機構７１の逆転駆動による逆方向へ向けたスライド移動の際に、ＣＩＳユニット６９が原稿を露光して走査することも可能である。
【００４２】
なお、コンタクトガラス５１に載置される原稿に沿って、順方向もしくは逆方向に移動するように構成され、コンタクトガラス５１に載置された原稿の画像を読み取るＣＩＳユニット６９とＣＩＳユニット６９に関連する構成は、本発明の読取部の一例である。
【００４３】
また、キャリッジモータ７８を始めとするベルト駆動機構７１の各構成要素は、本発明の駆動部の一例である。
【００４４】
（３）複合機の電気的構成
次に、複合機１の電気的構成について説明する。
【００４５】
図７は、複合機１の電気的構成を示すブロック図である。
【００４６】
複合機１は、図７に示すように、ＣＰＵ１０１（制御部の一例）と、ＲＯＭ１０２と、ＲＡＭ１０３と、ＥＥＰＲＯＭ１０４と、キャリッジモータ７８と、ＣＩＳユニット６９と、ネットワークＩ／Ｆ２０（枚数受付部の一例）と、ＵＳＢ  Ｉ／Ｆ２１（枚数受付部の一例）と、操作パネル５と、エンコーダ９０と、原稿有無センサ９５等を備える。
【００４７】
ＣＰＵ１０１は、ＲＯＭ１０２、ＲＡＭ１０３、ＥＥＰＲＯＭ１０４から読み出したデータの演算や、読み出したプログラムに従って各部の制御を行う。
【００４８】
ＲＯＭ１０２には、複合機１の各種動作を制御するためのプログラム等が格納されている。
【００４９】
ＲＡＭ１０３には、ＣＰＵ１０１が上記プログラムを実行する際に用いる各種データ等が記憶されている。
【００５０】
ＥＥＰＲＯＭ１０４には、後に詳述の、ＣＩＳユニット６９の移動速度、すなわちキャリッジモータ７８の駆動速度に関する複数の速度情報がデータベースとして記憶されている。
【００５１】
スキャナ部３の駆動プーリ７４に接続されたキャリッジモータ７８は、ＣＰＵ１０１によって回転制御される。キャリッジモータ７８は、所望の速度で、正回転及び逆回転が可能であり、キャリッジモータ７８が回転すると、キャリッジモータ７８の回転力が駆動プーリ７４の回転軸から駆動プーリ７４に伝達されて、駆動プーリ７４がキャリッジモータ７８の駆動速度及び回転方向に応じて回転する。これによってＣＩＳユニット６９の移動が行われ、ＣＩＳユニット６９の移動方向や、特に後に詳述のように、ＣＩＳユニット６９の移動速度等が制御される。また、キャリッジモータ７８はＤＣモータであり、キャリッジモータ７８等に設けられたエンコーダ９０によって、ＣＩＳユニット６９の副走査方向の位置に応じた信号がＣＰＵ１０１に伝達される。ＣＰＵ１０１は、この信号に基づきＲＡＭ１０３にＣＩＳユニット６９の位置に応じた値や初期読取開始位置３０からの移動距離を格納する。ＲＡＭ１０３に格納されたＣＩＳユニット６９の位置に応じた値は、後に詳述のコンタクトガラス５１に載置された原稿の画像を読み取る画像読取機能の読取処理において、順方向に読取を行うか逆方向に読取を行うかを判断する際等に参照される。なお、キャリッジモータ７８はＤＣモータでなくてもよく、例えばステッピングモータ等であってもよい。しかしながら、キャリッジモータ７８をＤＣモータとすることで、ステッピングモータよりも駆動時の駆動音を静音化することができる。
【００５２】
ＣＩＳユニット６９は、ＣＰＵ１０１によって、読み取りの開始時に点灯がなされ、読み取りの終了時に消灯がなされる。そして、原稿からの反射光を受光し、受光した光を電気信号に変換し、画像データを出力するよう制御される。
【００５３】
ネットワークＩ／Ｆ２０及びＵＳＢ  Ｉ／Ｆ２１は、通信回線或いはＵＳＢケーブル等を介して外部のコンピュータ（図示しない）等に接続され、相互のデータ通信が可能となっており、例えば読取の開始指示等を受け付ける。
【００５４】
操作パネル５は、配設されたスタートボタン５Ａやストップボタンなどの各種の入力キーの操作を受け付け、例えば読取の開始指示等、操作内容に応じた信号をＣＰＵ１０１に伝達する。また、液晶表示部１１はＣＰＵ１０１によって制御され、スキャナ部３等の動作に関する情報やエラー情報などを画面に表示させる。
【００５５】
原稿有無センサ９５は、コンタクトガラス５１上に載置された原稿の有無に応じた信号をＣＰＵ１０１に伝達する。
【００５６】
（４）画像読取機能における動作モード
次に、複合機１のコンタクトガラス５１に載置された原稿の画像を読み取る画像読取機能における動作モードについて詳しく説明する。
【００５７】
画像読取機能における動作モードには、サイレントモードと、サイレントモードが設定されていない場合の通常の読取モードと、がある。
【００５８】
サイレントモードは、ユーザがコンタクトガラス５１に読み取りたい最初の原稿を載置して、画像読取機能を選択した際等に操作パネル５の各種操作ボタン等によって設定指示が可能である。通常の読取モードは、画像読取機能を選択した際等に、操作パネル５の各種操作ボタン等によってサイレントモードが設定指示されない場合に、自動的にＣＰＵ１０１が決定する等して定まる。
【００５９】
通常の読取モードにおいて原稿の読取が行われる場合には、まず、ホームポジション３２に位置するＣＩＳユニット６９が、ＣＰＵ１０１によって制御されて、初期読取開始位置３０まで移動した後、初期読取開始位置３０から順方向へ移動しながらコンタクトガラス５１上の原稿を走査して読み取る。原稿全体の走査が終了すると、ＣＩＳユニット６９は、逆方向に移動して、初期読取開始位置３０に位置する。そして、コンタクトガラス５１上の新しくユーザによって交換された原稿を、初期読取開始位置３０から順方向へ移動しながら順次走査して読み取る。すなわち、ＣＩＳユニット６９は、第１の原稿（第１の原稿の一例）を初期読取開始位置３０から順方向へ移動しながら読み取った後、逆方向に移動して、第１の原稿の次に読み取る第２の原稿（第２の原稿の一例）も初期読取開始位置３０から順方向へ移動しながらを読み取る動作を、すべての原稿の読取が終了するまで繰り返すようＣＰＵ１０１によって制御される。すべての原稿の読取が終了した後、ＣＩＳユニット６９は逆方向に移動して、ホームポジション３２へ移動し画像読取機能を終了する。
【００６０】
一方、サイレントモードにおいて原稿の読取が行われる場合には、まず、ホームポジション３２に位置するＣＩＳユニット６９が、通常の読取モードの場合と同様に初期読取開始位置３０まで移動した後、初期読取開始位置３０から順方向へ移動しながらコンタクトガラス５１上の原稿を走査して読み取る。そして、サイレントモードにおいては、順方向に移動しながらの原稿全体の走査が終了すると、ＣＩＳユニット６９は、通常の読取モードと異なり、コンタクトガラス５１上の新しくユーザによって交換された原稿を、逆方向に移動しながら走査して読み取る。すなわち、ＣＩＳユニット６９は、第１の原稿（第１の原稿の一例）を初期読取開始位置３０から順方向へ移動しながら読み取った後、逆方向へ移動しながら、第１の原稿の次に読み取る第２の原稿（第２の原稿の一例）を読み取る動作を、すべての原稿の読取が終了するまで繰り返すようＣＰＵ１０１によって制御される。すべての原稿の読取が終了した後、ＣＩＳユニット６９は、初期読取開始位置３０に位置していない場合は、逆方向に移動してホームポジション３２へ移動し画像読取機能を終了する。
【００６１】
また、サイレントモードが設定されている場合には、ＣＩＳユニット６９を移動させるキャリッジモータ７８の駆動速度が、通常の読取モードの場合にＣＩＳユニット６９を駆動させるキャリッジモータ７８の駆動速度である第１速度よりも遅い、第２速度に設定される。すなわち、ＣＩＳユニット６９の移動速度が、通常の読取モードの場合のＣＩＳユニット６９の移動速度よりも遅い速度に設定される。
【００６２】
これによって、サイレントモードが設定されている場合のＣＩＳユニット６９の移動においては、サイレントモードが設定されていない通常の読取モードの場合と比べてキャリッジモータ７８の回転速度が低下し、キャリッジモータ７８自体の駆動音、各ギヤやベルト或いはプーリなどの伝達系機器の駆動音等の発生が抑制され静音化を実現する。
【００６３】
なお、本実施例では、サイレントモードにおけるＣＩＳユニット６９の順方向及び逆方向への両方の移動速度について、通常の読取モードにおけるＣＩＳユニット６９の移動速度よりも遅くするものとするが、このような構成でなくてもよい。例えば、サイレントモードにおけるＣＩＳユニット６９の順方向もしくは逆方向へのいずれか一方の移動速度について、通常の読取モードにおけるＣＩＳユニット６９の移動速度よりも遅くするものであってもよい。また、例えば、サイレントモードにおけるＣＩＳユニット６９の逆方向への移動速度について、ＣＩＳユニット６９が逆方向へ移動する際に読み取りを行う場合のみ、通常の読取モードにおけるＣＩＳユニット６９の移動速度よりも遅くするものであってもよい。あるいは、ＣＩＳユニット６９が逆方向へ移動する際に読み取りを行わない場合のみ、通常の読取モードにおけるＣＩＳユニット６９の移動速度よりも遅くするものであってもよい。以上のように、サイレントモードにおいて、必ずしも、ＣＩＳユニット６９の順方向の移動、読み取りを伴う逆方向の移動、読み取りを伴わない逆方向の移動のすべての移動の種類について移動速度を遅くする必要はない。ただしサイレントモードにおいて、ユーザが指示した１つの読取において実行される上記の移動の種類のうち、少なくとも１つの移動の種類において移動速度が遅くなるような構成である必要がある。すなわちサイレントモードにおいて、例えば、ユーザが１枚の原稿の読み取りを指示した場合には、ＣＩＳユニット６９の順方向の移動もしくは読み取りを伴わない逆方向の移動の、少なくともいずれか一方の移動において移動速度が遅くなるような構成である必要がある。
【００６４】
なおサイレントモードは本発明の第２の読取モードの一例であり、サイレントモードが設定されていない通常の読取モードは本発明の第１の読取モードの一例である。
【００６５】
（５）画像読取機能
次に、コンタクトガラス５１に載置された原稿の画像を読み取る画像読取機能におけるＣＰＵ１０１の実行する処理について、図８および図９を用いて説明を行う。
【００６６】
図８は、第１実施例における複合機１の画像読取機能におけるＣＰＵ１０１の実行する処理を表すフローチャートである。
【００６７】
図９は、複合機１の画像読取機能におけるＣＰＵ１０１の実行する処理のうち読取処理を表すフローチャートである。
【００６８】
複合機１の操作パネル５等から、コンタクトガラス５１に載置された原稿の画像を読み取る画像読取機能が選択された場合等に、図８に示すフローチャートで示される処理は開始される。
【００６９】
まずＣＰＵ１０１は、ＣＩＳユニット６９を、初期読取開始位置３０へ移動する等、コンタクトガラス５１に載置された原稿の画像を読み取る画像読取機能の実行に必要な初期動作を行う（Ｓ１００）。
【００７０】
Ｓ１００の処理の後、ＣＰＵ１０１は、ユーザによって操作パネル５等が操作され、サイレントモードもしくは通常の読取モードのどちらで原稿の画像を読み取るかの指示及び、読み取る原稿の枚数及びサイズの指示を含む画像読取機能の開始指示を受け付けたか否かを判断する（Ｓ１０５）。画像読取機能の開始指示を受け付けたと判断するまで（Ｓ１０５：ＮＯ）、ＣＰＵ１０１はＳ１０５の判断を繰り返し行う。
【００７１】
ＣＰＵ１０１が、サイレントモードもしくは通常の読取モードのどちらで原稿の画像を読み取るかの指示及び、読み取る原稿の枚数及びサイズの指示を含む画像読取機能の開始指示を受け付けたと判断する場合（Ｓ１０５：ＹＥＳ）、ＣＰＵ１０１は、画像読取機能の開始指示と共に受け付けた、サイレントモードもしくは通常の読取モードのどちらで原稿の画像を読み取るかの指示において、サイレントモードもしくは通常の読取モードのうち、指示されたモードに対応する値をＲＡＭ１０３にモードフラグとして、格納する。また、Ｓ１０５において、サイレントモードを指示された場合には、ＲＡＭ１０３に、キャリッジモータ７８の駆動速度として、ＥＥＰＲＯＭ１０４に格納されている、第１速度よりも遅い速度である第２速度に対応する値を格納し、通常の読取モードを指示された場合には、キャリッジモータ７８の駆動速度として、ＥＰＲＯＭ１０４に格納されている、第１速度に対応する値を格納する（Ｓ１０７）。
【００７２】
Ｓ１０７の処理の後、ＣＰＵ１０１は、原稿有無センサ９５によって、原稿有に応じた信号が伝達されることにより、ＣＩＳユニット６９を点灯させ、初期読取開始位置３０から順方向に移動させつつ読取を行い、読み取りデータをＲＡＭ１０３に格納する（Ｓ１０９）。Ｓ１０９においては、設定された読取モードに応じてＲＡＭ１０３に格納された第１速度もしくは第２速度に対応する値が参照され、第１速度もしくは第２速度の駆動速度でキャリッジモータ７８を駆動させて、移動が行われる。Ｓ１０９の処理を行いつつ、ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿の副走査方向のサイズとが一致するか否かを判断することにより、現在のＣＩＳユニット６９の位置が、読み取っている原稿の副走査方向の終端の位置であるか否かを判断する（Ｓ１１１）。
【００７３】
ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿の副走査方向のサイズとが一致すると判断することにより、現在のＣＩＳユニット６９の位置が原稿の副走査方向の終端の位置であると判断する場合には（Ｓ１１１：ＹＥＳ）、読み取りを行っていた原稿の読取が終了したとしてキャリッジモータ７８の駆動を停止して（Ｓ１１３）、ＣＩＳユニット６９を消灯させる。そして、ＣＰＵ１０１は、ＲＡＭ１０３に格納され、読取開始指示の受け付け時に「０」からスタートする読取済み枚数カウンタの値を、１加えて「１」として、１枚目の原稿の読取を終了する。なお、読取済み枚数カウンタは、原稿が１枚読み取り終了し、ＣＩＳユニット６９がＳ１１３の処理の様に読取停止する毎に、ＣＰＵ１０１によって１加えられる。
【００７４】
一方、ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿の副走査方向のサイズとが一致しないと判断することにより、現在のＣＩＳユニット６９の位置が原稿の副走査方向の終端の位置でないと判断する場合には（Ｓ１１１：ＮＯ）、Ｓ１０９の処理に戻り、読取を続行する。
【００７５】
１枚目の原稿の読取が終了後、ＣＰＵ１０１は、ＲＡＭ１０３のモードフラグに、サイレントモードに対応する値が格納されているかを判断することにより、Ｓ１０５で受け付けた画像読取機能の開始指示の際に、サイレントモードが設定されたか否かを判断する（Ｓ１１５）。
【００７６】
ＲＡＭ１０３のモードフラグに、サイレントモードに対応する値が格納されていると判断することにより、Ｓ１０５で受け付けた画像読取機能の開始指示の際に、サイレントモードが設定されたと判断する場合（Ｓ１１５；ＹＥＳ）、ＣＰＵ１０１は、読取済み枚数カウンタの値が、画像読取機能の開始指示の際に指定された、読み取る原稿の枚数と一致しないか否かを判断することにより、次に読み取る原稿が存在するかを判断する（Ｓ１２５）。
【００７７】
読取済み枚数カウンタの値が、画像読取機能の開始指示の際に指定された、読み取る原稿の枚数と一致しないと判断することにより、次に読み取る原稿が存在すると判断する場合（Ｓ１２５：ＹＥＳ）、ＣＰＵ１０１は、液晶表示部１１に、「次の原稿をセットしてください」のように次に読み取りたい原稿のコンタクトガラス５１への載置を促す表示を行い、原稿有無センサ９５によって、コンタクトガラス５１上に原稿有に応じた信号が伝達されたことを確認してから、次の原稿を読み取るためにＳ１３０の読取処理に移行する。
【００７８】
一方、読取済み枚数カウンタの値が、画像読取機能の開始指示の際に指定された、読み取る原稿の枚数と一致すると判断することにより、次に読み取る原稿が存在しないと判断する場合（Ｓ１２５：ＮＯ）、ＣＰＵ１０１は、ＣＩＳユニット６９を消灯させた状態のまま、ＲＡＭ１０３に格納された駆動速度である第２速度でキャリッジモータ７８を駆動して、ＣＩＳユニット６９を逆方向に移動させることによりホームポジション３２に移動させて（Ｓ１５５）、複合機１と接続された外部のコンピュータ（図示しない）等にＲＡＭ１０３に保存した読み取った画像データを転送するか、あるいは、プリンタ部によって読み取った画像の印刷を行う等し、本フローを終了する。なお、Ｓ１５５においては、ＣＩＳユニット６９を初期読取開始位置３０に移動させる構成であってもよい。この場合、最初からＣＩＳユニット６９が初期読取開始位置３０に位置する場合には、逆方向の移動は発生せずに、本フローは終了する。
【００７９】
Ｓ１３０の読取処理においては、まずＣＰＵ１０１は、現在のＣＩＳユニット６９の位置を、エンコーダ９０からの信号に基づき定期的にＲＡＭ１０３に格納された値によって取得する（Ｓ２００）。
【００８０】
Ｓ２００の処理の後、ＣＰＵ１０１は、Ｓ２００で取得したＣＩＳユニット６９の位置が初期読取開始位置３０であるかを判断する（Ｓ２０５）。
【００８１】
Ｓ２０５の処理において、現在のＣＩＳユニット６９の位置が初期読取開始位置３０であると判断された場合（Ｓ２０５：ＹＥＳ）には、Ｓ２１０の処理に移行する。
【００８２】
一方、例えば、直前に読み取った原稿の副走査方向の終端の位置にＣＩＳユニット６９が位置するとして、ＣＰＵ１０１によって、ＣＩＳユニット６９の位置は、初期読取開始位置３０でないと判断された場合（Ｓ２０５：ＮＯ）、Ｓ２２０の処理へ移行する。
【００８３】
Ｓ２１０の処理において、ＣＰＵ１０１は、ＣＩＳユニット６９を点灯させ、初期読取開始位置３０から順方向に、キャリッジモータ７８の駆動速度を設定された読取モードに応じて第１速度あるいは第２速度として移動させつつ読取を行い、読み取りデータをＲＡＭ１０３に格納する（Ｓ２１０）。Ｓ２１０の処理とともに、ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿の副走査方向のサイズとが一致するか否かを判断することにより、現在のＣＩＳユニット６９の位置が、読み取っている原稿の副走査方向の終端の位置であるか否かを判断する（Ｓ２１５）。
【００８４】
ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿の副走査サイズとが一致すると判断することにより、現在のＣＩＳユニット６９の位置が原稿の副走査方向の終端の位置であると判断する場合には（Ｓ２１５：ＹＥＳ）、ＣＰＵ１０１は、読み取りを行っていた原稿の読取が終了したとしてキャリッジモータ７８の駆動を停止して（Ｓ２１７）、ＣＩＳユニット６９を消灯させ、読取済み枚数カウンタの値を１加えて、原稿の読取を終了する。
【００８５】
一方、ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿の副走査方向のサイズとが一致しないと判断することにより、現在のＣＩＳユニット６９の位置が原稿の副走査方向の終端の位置でないと判断する場合には（Ｓ２１５：ＮＯ）、Ｓ２１０の処理に戻り、読取を続行する。
【００８６】
一方、Ｓ２２０の処理において、ＣＰＵ１０１は、ＣＩＳユニット６９を点灯させ、サイレントモードの際のキャリッジモータ７８の駆動速度であり第１速度よりも遅い第２速度でキャリッジモータ７８を駆動させて、ＣＩＳユニット６９を初期読取開始位置３０でない現在の位置から逆方向に移動させつつ読取を行う（Ｓ２２０）。Ｓ２２０で読取を行いつつ、ＲＡＭ１０３への、読み取ったデータの格納順序を、順方向に読み取る場合とは逆方向から格納することで読み取り画像を反転する（Ｓ２２５）。Ｓ２２０、Ｓ２２５の処理とともに、ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿のサイズとが一致するか否かを判断することにより、現在のＣＩＳユニット６９の位置が、初期読取開始位置３０であるか否かを判断する（Ｓ２３０）。
【００８７】
ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿のサイズとが一致すると判断することにより、現在のＣＩＳユニット６９の位置が初期読取開始位置３０であると判断する場合には（Ｓ２３０：ＹＥＳ）、ＣＰＵ１０１は、本原稿の読み取りが終了したとしてキャリッジモータ７８の駆動を停止して（Ｓ２１７）、ＣＩＳユニット６９を消灯させ、読取済み枚数カウンタの値を１加えて、本原稿の読取を終了する。
【００８８】
一方、エンコーダ９０によって検知した信号を基にＲＡＭ１０３に格納したＣＩＳユニット６９の初期読取開始位置３０からの移動距離と、Ｓ１０５で受け付けた原稿のサイズとが一致しないと判断することにより、現在のＣＩＳユニット６９の位置が初期読取開始位置３０でないと判断する場合には（Ｓ２３０：ＮＯ）、Ｓ２２０の処理に戻り、読取を続行する。
【００８９】
Ｓ１３０の読取処理終了後、ＣＰＵ１０１は、次に読み取る原稿が存在するかを判断するＳ１２５の処理に戻る。
【００９０】
以上の読取処理によれば、サイレントモードが設定されている場合において、偶数枚目の原稿の読み取りにおいては、ＣＩＳユニット６９の位置は、１枚目の原稿の副走査方向の終端の位置に移動した際の位置であるため、ＣＰＵ１０１によってＣＩＳユニット６９の位置は、初期読取開始位置３０でないと判断される（Ｓ２０５：ＮＯ）。なお偶数枚目の原稿の読み取りとして、Ｓ１０９、Ｓ１１１、Ｓ１１３の処理による、１枚目の原稿の読取後、初めての原稿の読み取りを含む、Ｓ２０５：ＮＯと判断することによってＣＰＵ１０１は、逆方向に移動しながら原稿を読み取るＳ２２０の処理へ移行する。一方、奇数枚目の原稿の読み取りにおいては、偶数枚目の原稿の読み取りにおいてＣＩＳユニット６９が初期読取開始位置３０にて停止されるため、ＣＩＳユニット６９の位置は初期読取開始位置３０であると判断され（Ｓ２０５：ＹＥＳ）、順方向に移動しながら原稿を読み取るＳ２１０の処理へ移行する。すなわち、サイレントモードが設定されている場合には、順方向の読取と逆方向の読取とが交互に行われる。
【００９１】
一方、ＲＡＭ１０３のモードフラグに、サイレントモードに対応する値が格納されていないと判断することにより、Ｓ１０５で受け付けた画像読取機能の開始指示の際に、サイレントモードが設定されていない、すなわち通常の読み取りモードであると判断する場合（Ｓ１１５；ＮＯ）、ＣＰＵ１０１は、ＣＩＳユニット６９を消灯させたまま、通常の読取モードの際のキャリッジモータ７８の駆動速度である第１速度でＣＩＳユニット６９を逆方向に移動させ（Ｓ１３３）、エンコーダ９０によって検知した信号を基にＲＡＭ１０３に格納したＣＩＳユニット６９の初期読取開始位置３０からの移動距離と、Ｓ１０５で受け付けた原稿のサイズとが一致するか否かを判断することにより、現在のＣＩＳユニット６９の位置が、初期読取開始位置３０であるか否かを判断する（Ｓ１３７）。
【００９２】
ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿のサイズとが一致すると判断することにより、現在のＣＩＳユニット６９の位置が初期読取開始位置３０であると判断する場合には（Ｓ１３７：ＹＥＳ）、ＣＰＵ１０１は、ＣＩＳユニット６９の移動が終了したとしてキャリッジモータ７８の駆動を停止する（Ｓ１３９）。
【００９３】
一方、ＣＰＵ１０１は、エンコーダ９０によって検知した信号を基にＲＡＭ１０３に格納したＣＩＳユニット６９の初期読取開始位置３０からの移動距離と、Ｓ１０５で受け付けた原稿のサイズとが一致しないと判断することにより、現在のＣＩＳユニット６９の位置が初期読取開始位置３０でないと判断する場合には（Ｓ１３７：ＮＯ）、Ｓ１３３の処理に戻り、移動を続行する。
【００９４】
Ｓ１３９の処理後、ＣＰＵ１０１は、Ｓ１２５の処理と同様に、読取済み枚数カウンタの値が、画像読取機能の開始指示の際に指定された、読み取る原稿の枚数と一致しないか否かを判断することにより、次に読み取る原稿が存在するかを判断する（Ｓ１４５）。
【００９５】
読取済み枚数カウンタの値が、画像読取機能の開始指示の際に指定された、読み取る原稿の枚数と一致しないと判断することにより、次に読み取る原稿が存在すると判断する場合（Ｓ１４５：ＹＥＳ）、ＣＰＵ１０１は、液晶表示部１１に、「次の原稿をセットしてください」のように次に読み取りたい原稿のコンタクトガラス５１への載置を促す表示を行い、原稿有無センサ９５によって、コンタクトガラス５１上に原稿有に応じた信号が伝達されたことを確認してから、次の原稿を読み取るためにＳ１５０の読取処理に移行する。
【００９６】
一方、読取済み枚数カウンタの値が、画像読取機能の開始指示の際に指定された、読み取る原稿の枚数と一致すると判断することにより、次に読み取る原稿が存在しないと判断する場合（Ｓ１４５：ＮＯ）、ＣＰＵ１０１は、ＣＩＳユニット６９を、消灯させた状態のまま、キャリッジモータ７８の駆動速度を第１速度で逆方向に移動させることによりホームポジション３２に移動させて（Ｓ１５５）、本フローを終了する。
【００９７】
Ｓ１５０の読取処理においては、Ｓ１３３、Ｓ１３７、Ｓ１３９の処理によってＣＩＳユニット６９を初期読取開始位置３０に移動しているため、ＣＰＵ１０１によってＣＩＳユニット６９の位置は、初期読取開始位置３０であると判断され（Ｓ２０５：ＹＥＳ）、Ｓ２１０及びＳ２１０以降の処理へ移行して、ＣＰＵ１０１は、ＣＩＳユニット６９を点灯し、キャリッジモータ７８の駆動速度を第１速度で順方向にＣＩＳユニット６９を移動させつつ原稿の副走査方向の終端の位置まで読取を行い、ＣＩＳユニット６９を停止して、消灯し、読取処理を終了する。
【００９８】
Ｓ１５０の読取処理終了後、ＣＰＵ１０１は、ＣＩＳユニット６９を初期読取開始位置３０へ移動させる、Ｓ１３３、Ｓ１３７、Ｓ１３９の処理に戻る。なお、この後再びＳ１５０の処理を実行する場合には、Ｓ１３３、Ｓ１３７、Ｓ１３９の処理によってＣＩＳユニット６９の位置は初期読取開始位置３０であるため、Ｓ２１０の処理にて、順方向にＣＩＳユニット６９が移動し読み取りが行われる。すなわち、以上の処理によれば、通常の読取モードが設定されている場合には、常に順方向の読取が行われる。
【００９９】
読取処理におけるＳ２１０の、ＣＰＵ１０１が、キャリッジモータ７８を始めとするベルト駆動機構７１を駆動させてＣＩＳユニット６９を順方向に移動させながら、原稿を読み取る処理は、本発明の順読取処理の一例である。
【０１００】
また、読取処理におけるＳ２２０の、ＣＰＵ１０１が、キャリッジモータ７８を始めとするベルト駆動機構７１を駆動させてＣＩＳユニット６９を逆方向に移動させながら、原稿を読み取る処理は、本発明の逆読取処理の一例である。
【０１０１】
また、Ｓ１３３の、ＣＰＵ１０１が、キャリッジモータ７８を始めとするベルト駆動機構７１を駆動させて、ＣＩＳユニット６９を、原稿を読み取らずに逆方向に移動させる処理は、本発明の逆移動処理の一例である。
【０１０２】
また、読取処理において、ＣＰＵ１０１が、サイレントモードもしくは通常の読取モードのどちらで原稿の画像を読み取るかの指示を画像読取機能の開始指示を受け付けることで決定するＳ１０７の処理は、本発明の決定処理の一例である。なお、サイレントモードもしくは通常の読取モードのどちらで原稿の画像を読み取るかの決定は、現在時刻等によって、ＣＰＵ１０１が自動で決定する構成であってもよい。例えば、夜間には、ユーザがより駆動音を気にし易いとして、サイレントモードで原稿の画像を読み取るとし、昼間には、通常の読取モードで原稿の画像を読み取るようにＣＰＵ１０１が自動で決定する構成であってもよい。
【０１０３】
また、上記Ｓ１０７の処理で、通常の読取モードで原稿を読み取ると決定した場合には、キャリッジモータ７８の駆動速度を第１速度、サイレントモードで原稿を読み取ると決定した場合には、キャリッジモータ７８の駆動速度を第１速度よりも遅い第２速度とした。これによってサイレントモードで原稿を読み取ると決定した場合におけるＣＩＳユニット６９を移動させる処理においては、通常の読取モードで原稿の画像を読み取ると決定した場合におけるＣＩＳユニット６９を移動させる処理のキャリッジモータ７８の駆動速度よりも、遅い駆動速度でキャリッジモータ７８を駆動することにより、キャリッジモータ７８の駆動に起因するベルト駆動機構７１等の駆動音を抑制する。このＳ１０７の処理は、本発明の抑制処理の一例である。
【０１０４】
そして、上記Ｓ１０７の処理で、通常の読取モードで原稿を読み取ると決定した場合には、Ｓ１０９、Ｓ１１１や、Ｓ１５０の読取処理において、キャリッジモータ７８を始めとするベルト駆動機構７１を駆動させてＣＩＳユニット６９を、通常の読取モードに対応する駆動速度である第１速度で順方向に移動させ、第１の原稿を読み取った。この後、ＣＩＳユニット６９を、ベルト駆動機構７８を駆動させることにより駆動速度を第１速度で逆方向に移動させ（Ｓ１３３）て（Ｓ１３７：ＹＥＳ）、Ｓ１５０の読取処理において、キャリッジモータ７８を始めとするベルト駆動機構７１を駆動させてＣＩＳユニット６９を駆動速度を第１速度で順方向に移動させ、第１の原稿の次に読み取る原稿である第２の原稿を読み取った（Ｓ２１０）。一方、Ｓ１０７の処理でサイレントモードで原稿を読み取ると決定した場合には、Ｓ１０９、Ｓ１１１や、Ｓ１３０の読取処理において、キャリッジモータ７８を始めとするベルト駆動機構７１を駆動させてＣＩＳユニット６９を、サイレントモードに対応する駆動速度である第２速度で順方向に移動させ、第１の原稿を読み取った。この後、Ｓ１３０の読取処理において、キャリッジモータ７８を始めとするベルト駆動機構７１を駆動させてＣＩＳユニット６９を駆動速度を第１速度よりも遅い第２速度で逆方向に移動させつつ、第１の原稿の次に読み取る原稿である第２の原稿を読み取った（Ｓ２２０）。以上の一連の処理は本発明の読取処理の一例である。
【０１０５】
なお、逆方向に読取を行う際には、Ｓ２２５の処理のように、ＲＡＭ１０３への、読み取ったデータの格納順序を、順方向に読み取る場合とは逆方向から格納することで読み取り画像を反転等する必要がある。このように、逆方向に読取を行う際には、順方向に読み取る場合とは異なる処理が必要となる等の理由から、通常の読取モードにおいては、逆方向の読取処理を行っていない。
【０１０６】
＜作用効果＞
以上記載の実施例によれば、ユーザによってコンタクトガラス５１に載置された原稿をＣＩＳユニット６９を順方向に移動させつつ読み取った後、次に読み取る原稿を、読取モードを通常の読み取りモードに決定した場合には、ＣＩＳユニット６９を逆方向に移動させてから順方向に移動させつつ読み取る。一方、読取モードを、ＣＩＳユニット６９の移動速度を低下させることで、すなわち、キャリッジモータ７８の駆動速度を低下させることで、駆動音の発生を抑制するサイレントモードに決定した場合には、ＣＩＳユニット６９を逆方向に移動させつつ読み取る。すなわち、キャリッジモータ７８の移動速度を低下させることで静音化した読取を実現するサイレントモードでは、キャリッジモータ７８を逆方向に移動する場合にも原稿の読取を行うことにより、キャリッジモータ７８を逆方向に移動しながら原稿の読取を行わない場合に比べて、原稿の読取を終えるまでにかかる時間を抑制することができる。
【０１０７】
より具体的に、例えば、ＣＩＳユニット６９を順方向に移動させつつ読み取りを行った後、コンタクトガラス５１上の原稿を、ユーザが次の原稿に交換する場合を考える。この場合に特に、コンタクトガラス５１上の原稿をユーザが次の原稿に交換する際にかかる時間があらかじめ定められている所定時間であるとして、キャリッジモータ７８の駆動速度を次のように定める。すなわち、順方向に原稿を読み取った後の読取終了位置から読取開始位置３０までＣＩＳユニット６９を移動するのにかかる時間が、所定時間より小さい時間となるようなキャリッジモータ７８の駆動速度を第１速度として定める。一方、順方向に原稿を読み取った後の読取終了位置から読取開始位置３０までＣＩＳユニット６９を移動するのにかかる時間が、所定時間より大きい時間となるようなキャリッジモータ７８の駆動速度を第２速度として定める。上記の場合において、読取モードが通常の読取モードである場合には、キャリッジモータ７８の駆動速度が第１速度であることから、順方向の読取終了位置から読取開始位置３０までＣＩＳユニット６９が移動するまでの間に、コンタクトガラス５１上の原稿をユーザが次の原稿に交換できる可能性が低い。すなわち、コンタクトガラス５１上の原稿をユーザが次の原稿に交換した際には、ＣＩＳユニット６９が読取開始位置３０に既に位置し、順方向に読取を開始可能な状態である可能性が高い。したがって読み取りモードが通常の読取モードである場合には、コンタクトガラス５１上の原稿の交換に伴う、読取にかかる時間のロスが少ないと考えられる、一方、読み取りモードがサイレントモードである場合において、仮に、順方向の原稿の読取終了後に、次の原稿を、ＣＩＳユニット６９を逆方向に移動してから順方向に読み取るような構成である場合には、キャリッジモータ７８の駆動速度が第２速度であることから、順方向の読取終了位置から読取開始位置３０までＣＩＳユニット６９が移動するまでの間に、コンタクトガラス５１上の原稿をユーザが次の原稿に交換できる可能性が高い。すなわち、コンタクトガラス５１上の原稿をユーザが次の原稿に交換した際には、ＣＩＳユニット６９は未だ移動中であって読取開始位置３０に位置しておらず、順方向に読取を開始できない状態である可能性が高い。したがってサイレントモードにおいては、仮に、順方向の原稿の読取終了後に、次の原稿を、ＣＩＳユニット６９を逆方向に移動してから順方向に読み取るような構成である場合には、コンタクトガラス５１上の原稿の交換に伴って、読取にかかる時間のロスが増大すると考えられる、これによって、サイレントモードにおいて、順方向の原稿の読取終了後に逆方向に移動せず待機して、ＣＩＳユニット６９を逆方向に移動して読み取るような構成とすることで、コンタクトガラス５１上の原稿の交換に伴って、読取にかかる時間のロスを抑制できると考えられる、したがって、キャリッジモータ７８の駆動速度を低下させることで静音化した読取を行う機能において、原稿の読取を終えるまでにかかる時間を抑制することができる。
【０１０８】
また、ＣＩＳユニット６９を順方向に移動及び逆方向に移動する両方の場合にキャリッジモータ７８の駆動速度を低下させることで、順方向に移動もしくは逆方向に移動するいずれか一方の場合にＣＩＳユニット６９の移動速度を低下させる場合よりも、原稿の読取を終えるまでにかかる時間が増大し易いサイレントモードにおいて、ＣＩＳユニット６９を逆方向に移動する場合にも原稿の読取を行うことにより、ＣＩＳユニット６９を逆方向に移動しながら原稿の読取を行わない場合に比べて、原稿の読取を終えるまでにかかる時間を抑制することができる。したがって、ＣＩＳユニット６９を順方向に移動もしくは逆方向に移動するいずれか一方の場合にキャリッジモータ７８の駆動速度を低下させる場合に比べ、原稿の読取を終えるまでにかかる時間が増大し易い静音化した読取を行う機能において、原稿の読取を終えるまでにかかる時間を抑制することができる。
【０１０９】
また、キャリッジモータ７８の駆動速度を低下させることで静音化した読取を行う機能において、２枚以上の原稿を連続して読み取る際に、原稿の読取を終えるまでにかかる時間を抑制することができる。
【０１１０】
また、サイレントモードにおいて順方向に移動しつつ読取を行った後、次に読み取る原稿が無い場合には初期読取開始位置３０もしくはホームポジション３２へＣＩＳユニット６９が移動する。これによって、新たに読み取る原稿が順方向についてサイズの異なる原稿である場合に、前の原稿を順方向に読み取った後の読取終了位置から、新たに読み取る原稿との順方向のサイズ差分の移動を行わなければならない可能性を低減することができる。したがって、静音化した読取を行う機能において、読取後に次に読み取る原稿が存在しない場合について考慮しつつ、すべての原稿の読取を終えるまでにかかる時間を抑制することができる。
【０１１１】
また、ＣＩＳユニット６９を読み取りを行わずに逆方向に移動する際に移動速度を低下させない場合に比べ、原稿の読取を終えるまでにかかる時間が増大し易い静音化した読取を行う機能において、原稿の読取を終えるまでにかかる時間を抑制することができる。
【０１１２】
（第２実施例）
次に、図１０を用いて、第２実施例を説明する。なお記載の無い点については、第１実施例と同一であるとする。
【０１１３】
図１０は、第２実施例における複合機１の画像読取機能におけるＣＰＵ１０１の実行する処理を表すフローチャートである。
【０１１４】
第２実施例において、操作パネル５等は、例えば、読取枚数の設定とともに、読取枚数の設定が２枚以上である場合には、各原稿のサイズの設定を受け付けることが可能である。なおこの場合の操作パネル５や、ネットワークＩ／Ｆ２０及びＵＳＢ  Ｉ／Ｆ２１はサイズ受付部の一例である。
【０１１５】
第２実施例においては、ＣＰＵ１０１によって、サイレントモードが設定されていると判断された（Ｓ１１５：ＹＥＳ）後の処理が主に第１実施例とは異なる。
【０１１６】
すなわち、Ｓ１０５の画像読取機能の開始指示の際に、サイレントモードが設定されたと判断する場合（Ｓ１１５；ＹＥＳ）、ＣＰＵ１０１は、操作パネル５等から、Ｓ１０５で受け付けた画像読取機能の開始指示とともに受け付けた各原稿のサイズの設定が、すべて同じサイズであるか否かを判断する（Ｓ１１７）。
【０１１７】
Ｓ１０５で受け付けた画像読取機能の開始指示とともに受け付けた各原稿のサイズの設定が、すべて同じサイズであると判断する場合には（Ｓ１１７：ＹＥＳ）、ＣＰＵ１０１は、ＣＩＳユニット６９を逆方向及び順方向に交互に移動しながら各原稿の読取を行う、Ｓ１２５以降の処理を行う。
【０１１８】
一方、Ｓ１０５で受け付けた画像読取機能の開始指示とともに受け付けた各原稿のサイズの設定が、すべて同じサイズでないと判断する場合には（Ｓ１１７：ＮＯ）、ＣＰＵ１０１は、ＣＩＳユニット６９を、キャリッジモータ７８の駆動速度を第２速度として初期読取開始位置３０に移動して再び順方向に移動しながら読取を行う、Ｓ１３５以降の処理を行う。
【０１１９】
なお、本実施例では、設定された読取枚数が２枚以上の場合のみ原稿のサイズの設定を受け付けていたが、設定された読取枚数によらずに各原稿のサイズの設定を受け付ける構成であってもよい。
【０１２０】
＜作用効果＞
以上記載の実施例によればＣＩＳユニット６９の移動速度を低下させることで静音化した読取を行うサイレントモードにおいて、２枚以上の原稿を連続して読み取る際に、順方向についてサイズの異なる原稿が存在する場合には、ＣＩＳユニット６９が順方向に移動する際のみに読み取りを行う。すなわち、順方向についてサイズの異なる原稿が存在する場合には、前の原稿を順方向に読み取った後の読取終了位置から、次の原稿との順方向のサイズ差分の移動を行わなければならない場合があるため、逆方向に読取を行うことによっても、原稿の読取を終えるまでにかかる時間が低減されない可能性があるため、ＣＩＳユニット６９が順方向に移動する際のみに読み取りを行うことができる。
【０１２１】
したがって、静音化した読取を行うサイレントモードにおいて、原稿の順方向についてのサイズを考慮しつつ、すべての原稿の読取を終えるまでにかかる時間を抑制することができる。
【０１２２】
（その他の実施例）
（１）上記実施例においては、画像読取装置は複合機１としたが、これに限られず、例えばプリント機能を持たず、原稿を読取る読取機能のみを備えた読取装置等であってもよい。
【０１２３】
（２）上記実施例では１つのＣＰＵ１０１により処理を実行する構成であったが、複数のＣＰＵ１０１により処理を実行する構成や、ＡＳＩＣ（ＡｐｐｌｉＣａｔｉｏｎＳｐｅＣｉｆｉＣＩｎｔｅｇｒａｔｅｄＣｉｒＣｕｉｔ）などのハード回路のみ、または、ＣＰＵ１０１およびハード回路により処理を実行する構成でもよい。
【０１２４】
（３）上記第１実施例においては、操作パネル５等から受け付けた読取枚数が２枚以上でない場合、すなわち１枚である場合や、操作パネル５等から受け付けた読取枚数が２枚以上であって、最終原稿の読取が終了した場合には、Ｓ１１５にてサイレントモードであると判断されている場合（Ｓ１１５：ＹＥＳ）、Ｓ１２５の処理において次の原稿が存在しないと判断され（Ｓ１２５：ＮＯ）、Ｓ１５５の処理のようにＣＩＳユニット６９をホームポジション３２へ移動していたが、このようでなくてもよい。例えば、Ｓ１２５の処理において次の原稿がないと判断された場合に、ＣＩＳユニット６９をホームポジション３２へ移動させず、原稿の副走査方向の終端の位置にて待機させる構成であってもよい。このような構成において、サイレントモードとして、読取開始指示を受け付けた場合には、ＣＩＳユニット６９を、キャリッジモータ７８の駆動速度を第２速度として、逆方向に移動させつつ１枚目の読取を開始する構成等であってもよい。
【符号の説明】
【０１２５】
１  複合機
３  スキャナ部
５  操作パネル
７  原稿読取台
５１  コンタクトガラス
６９  ＣＩＳユニット
７１  ベルト駆動機構
１０１  ＣＰＵ
【図１】
2015070351.tif 000003
【図２】
2015070351.tif 000004
【図３】
2015070351.tif 000005
【図４】
2015070351.tif 000006
【図５】
2015070351.tif 000007
【図６】
2015070351.tif 000008
【図７】
2015070351.tif 000009
【図８】
2015070351.tif 000010
【図９】
2015070351.tif 000011
【図１０】
2015070351.tif 000012